(57)【要約】【課題】通常は容器として用いることができ、魚等を掬い出す場合には、より簡単かつ迅速に掬い出すことができるとともに、安価な掬い具兼容器を提供する。【解決手段】底部２と、側部３と、上方が開口する開口部４と、開口部４に隣接して開口部４を囲繞する開口縁部５とを備え、開口縁部５は、上方視で、中心角が２７０°以上の円弧と円弧の両端点を結ぶ弦とで構成される図形状に形成され、弦に相当する部分を掬い部６とした掬い具兼容器１。水槽から魚を掬い出すような場合には、掬い部６として水槽の側壁に押し当てると、掬い部６と側壁とが線接触し、より簡単かつ迅速に魚を掬い上げることが可能になる。掬い具兼容器１は、金型を用いて樹脂等で一体成型することができるため、安価に製造することができる。【選択図】図１
0003129960.tif 000002
【実用新案登録請求の範囲】
【請求項１】
底部と、側部と、上方が開口する開口部と、該開口部に隣接して該開口部を囲繞する開口縁部とを備え、
該開口縁部は、上方視で、中心角が２７０°以上の円弧と該円弧の両端点を結ぶ弦とで構成される図形状に形成され、
該弦に相当する部分を掬い部とすることを特徴とする掬い具兼容器。
【請求項２】
底部と、側部と、上方が開口する開口部と、該開口部に隣接して該開口部を囲繞する開口縁部とを備え、
該開口縁部は、上方視で、中心角が２７０°以上の円弧と、各々、該円弧の両端点から該円弧の中心から離れる方向に延びる第１及び第２の直線と、該第１及び第２の直線の該円弧との交点ではない方の両端点を結ぶ第３の直線とで構成される図形状に形成され、
該第３の直線に相当する部分を掬い部とすることを特徴とする掬い具兼容器。
【請求項３】
前記掬い部に着脱可能な補強金具を備えることを特徴とする請求項１又は２に記載の掬い具兼容器。
【請求項４】
前記側部又は前記開口縁部に、回動可能な手提げ用取っ手部を備えることを特徴とする請求項１、２又は３に記載の掬い具兼容器。
【考案の詳細な説明】
【技術分野】
【０００１】
本考案は、掬い具兼容器に関し、特に、通常は容器として用いることができ、魚等を掬い出す場合には、より簡単かつ迅速に掬い出すことができ、安価な掬い具兼容器に関する。
【背景技術】
【０００２】
従来、バケツや洗面器等は、容器として種々の目的で利用されているが、容器以外にも、例えば、漁業等において、水槽等から魚を取り出したり、漁船等において、浸水を防ぐために船底から水を掬い出すための掬い具として利用することもある。そのような場合には、水槽や漁船等の側壁に容器の円形の開口縁部を押し当て、側壁とこの開口縁部との隙間をなくして水や魚を掬い出していた。
【考案の開示】
【考案が解決しようとする課題】
【０００３】
しかし、従来のバケツ又は洗面器等を使用すると、これらの開口部が円形なため、側壁とバケツ等の開口縁部との接する部分は一点のみとなり、魚や水等を掬い出しにくいという問題があった。さらに、通常、開口縁部を手で把持して掬い出し作業を行うため、使用者の手又は指が側壁等と開口縁部との間に位置することとなり、側壁等と開口縁部との隙間をなくす際の障害になるという問題があった。
【０００４】
そこで、本考案は、上記問題点に鑑みてなされたものであって、通常は容器として用いることができ、魚や水等を掬い出す際に、より簡単かつ迅速に掬い出すことができる掬い具兼容器を提供することを目的とする。
【課題を解決するための手段】
【０００５】
上記目的を達成するため、本考案は、掬い具兼容器であって、底部と、側部と、上方が開口する開口部と、該開口部に隣接して該開口部を囲繞する開口縁部とを備え、該開口縁部は、上方視で、中心角が２７０°以上の円弧と該円弧の両端点を結ぶ弦とで構成される図形状に形成され、該弦に相当する部分を掬い部とすることを特徴とする。
【０００６】
そして、本考案によれば、開口縁部が中心角が２７０°以上の円弧部を備えるため、通常は容器として使用することができ、水槽から魚を掬い出すような場合には、開口縁部の上記弦に相当する部分を掬い部として水槽の側壁に押し当てると、掬い部と側壁とが線接触するため、より簡単かつ迅速に魚を掬い上げることが可能になる。また、この掬い具兼容器は、金型を用いて樹脂等で一体成型することができるため、安価に製造することができる。
【０００７】
また、本考案は、掬い具兼容器であって、底部と、側部と、上方が開口する開口部と、該開口部に隣接して該開口部を囲繞する開口縁部とを備え、該開口縁部は、上方視で、中心角が２７０°以上の円弧と、各々、該円弧の両端点から該円弧の中心から離れる方向に延びる第１及び第２の直線と、該第１及び第２の直線の該円弧との交点ではない方の両端点を結ぶ第３の直線とで構成される図形状に形成され、該第３の直線に相当する部分を掬い部とすることを特徴とする。
【０００８】
本考案によれば、前述の掬い具兼容器と同様に、通常は容器として使用することができるとともに、水槽から魚を掬い出すような場合には、掬い部と側壁とが線接触して簡単かつ迅速に魚を掬い上げることが可能になる。また、本考案にかかる掬い具兼容器は、掬い部が容器の円弧状縁部から突出するように形成されているため、底の深い容器であっても、魚等を掬い出す際に使用者の手又は指が側壁等と開口縁部との隙間をなくす際の障害になることもなく、より簡単かつ迅速に魚等を掬い上げることが可能になる。
【０００９】
前記掬い具兼容器において、前記掬い部に着脱可能な補強金具を備えることができる。これにより、庭先等において、土等の固いものを掻き取ったり、掘り出すような作業にも対応することができる。
【００１０】
前記掬い具兼容器において、前記側部又は前記開口縁部に、回動可能な手提げ用取っ手部を備えることができる。これにより、容器の持ち運びを容易に行うことができる。
【考案の効果】
【００１１】
以上のように、本考案によれば、通常は容器として用いることができ、魚等を掬い出す場合には、より簡単かつ迅速に掬い出すことができるとともに、安価な掬い具兼容器を提供することができる。
【考案を実施するための最良の形態】
【００１２】
図１及び図２は、本考案にかかる掬い具兼容器の第１の実施の形態を示し、この掬い具兼容器１は、全体が洗面器状に形成され、底部２と、側部３と、開口部４を囲繞する開口縁部５と、掬い部６とで構成され、掬い具兼容器１全体が一体としてプラスチック等で成形される。
【００１３】
底部２は、平面視円形に形成され、底部２に連続する側部３は、下部から上部に向かって徐々に大径となる中空円錐台状に形成される。この側部３の上縁部には、開口縁部５が略々一周にわたって形成される。
【００１４】
開口縁部５の一部は、図２（ａ）に示すように、中心角θで特定される範囲において連続性が途切れ、直線状の掬い部６が設けられる。掬い部６は、傾斜面７の上縁部であって、傾斜面７は、側部３に段部８を介して連結される。尚、中心角θは、９０°未満に設定される。
【００１５】
次に、上記構成を有する掬い具兼容器１の使用方法について説明する。
【００１６】
通常は、掬い具兼容器１を洗面器と同様に使用することができる。すなわち、掬い具兼容器１内に水を張って顔を洗ったり、風呂場で髪を洗ったり、台所で食器等を洗う際に使用するなど、種々の目的に使用することができる。
【００１７】
一方、例えば、水槽等から魚等を掬い出すような場合には、掬い具兼容器１の掬い部６を水槽の側壁に押し当て、魚等を掬い出す。この際、従来は容器の一点しか側壁に当接しなかったのに対し、本考案にかかる掬い具兼容器１では、直線状の掬い部６のすべてが側壁に当接するため、一度に沢山の魚等を容易に掬い上げることが可能となる。また、漁船等において船底に貯まった水を掬い出すような場合にも、上記と同様の動作で行うことができる。
【００１８】
次に、本考案にかかる掬い具兼容器の第２の実施の形態について、図３及び図４を参照しながら説明する。
【００１９】
この掬い具兼容器１１は、全体がバケツ状に形成され、底部１２と、側部１３と、開口部１４を囲繞する開口縁部１５と、掬い部１６と、手提げ用取っ手部１８とで構成され、手提げ用取っ手部１８を除く全体が一体としてプラスチック等で成形される。
【００２０】
底部１２は、平面視円形に形成され、底部１２に連続する側部１３は、下部から上部に向かって徐々に大径となる中空円錐台状に形成される。この側部１３の上縁部には、開口縁部１５が略々一周にわたって形成される。
【００２１】
開口縁部１５の一部は、図４（ａ）に示すように、中心角θで特定される範囲において連続性が途切れ、円弧の両端点から外側に延びる第１及び第２の直線１６ａ、１６ｂと、両直線１６ａ、１６ｂの両端点を結ぶ第３の直線１６ｃとで構成される図形状に形成される部分が設けられ、この第３の直線１６ｃに相当する部分が掬い部１６として機能する。尚、中心角θは、９０°未満に設定される。
【００２２】
次に、上記構成を有する掬い具兼容器１１の使用方法について説明する。
【００２３】
通常は、掬い具兼容器１１をバケツと同様に使用することができる。すなわち、掬い具兼容器１１によって水を汲み上げたり、掃除をする際に水や洗浄液を入れるのに使用するなど、種々の目的に使用することができる。
【００２４】
一方、例えば、水槽等から魚等を掬い出すような場合には、掬い具兼容器１１の掬い部１６を水槽の側壁に押し当て、魚等を掬い出すこともでき、直線状の掬い部１６のすべてが側壁に当接するため、一度に沢山の魚等を容易に掬い上げることが可能となる。また、漁船等において船底に貯まった水を掬い出すような場合にも、上記と同様の動作で行うことができる。
【００２５】
また、この掬い具兼容器１１によれば、掬い部１６が容器１１の円弧状の縁部１５から突出するように形成されているため、魚等を掬い出す際に使用者の手又は指が水槽の側壁等と開口縁部１５との隙間をなくす際の障害になることもなく、より簡単かつ迅速に魚等を掬い上げることが可能になる。
【００２６】
次に、本考案にかかる掬い具兼容器の第３の実施の形態について、図５及び図６を参照しながら説明する。
【００２７】
図５は、図３及び図４に示した掬い具兼容器１１の掬い部１６に着脱可能な補強金具２１を示し、この補強金具２１は、曲折して連続する金属部２２〜２４と、これら金属部２２〜２４に互いに離間して固着される複数のゴム片２６とで構成され、金属部２２〜２４の先端は、尖ったエッジ部２５として形成される。
【００２８】
図６は、上記補強金具２１を、先述の掬い具兼容器１１の掬い部１６に装着した状態を示す。このように補強金具２１を装着することにより、庭先等で地面の土等を掬い出すような場合に、掬い部６を強化することができ、固い土を掻き出したり、掘り出したりすることも可能になる。尚、この補強金具２１は、着脱可能であるため、取り外して洗うこともでき便利である。
【００２９】
尚、上記実施の形態においては、洗面器又はバケツとして通常用いることのできる容器を例にとって説明したが、例えば、通常洗い桶として使用される容器等、種々の容器に対して本考案を適用することができる。
【図面の簡単な説明】
【００３０】
【図１】本考案にかかる掬い具兼容器の第１の実施の形態を示す斜視図である。
【図２】図１の掬い具兼容器を示す図であって、（ａ）は上面図、（ｂ）は正面図、（ｃ）は側面図である。
【図３】本考案にかかる掬い具兼容器の第２の実施の形態を示す斜視図である。
【図４】図３の掬い具兼容器を示す図であって、（ａ）は上面図、（ｂ）は正面図、（ｃ）は側面図である。
【図５】本考案にかかる掬い具兼容器の第３の実施の形態に用いられる補強金具を示す図であって、（ａ）は上面図、（ｂ）は正面図、（ｃ）は（ａ）のＡ−Ａ線断面図である。
【図６】図５の補強金具を装着した状態の掬い具兼容器を示す図であって、（ａ）は上面図、（ｂ）は正面図、（ｃ）は側面図である。
【符号の説明】
【００３１】
１  掬い具兼容器
２  底部
３  側部
４  開口部
５  開口縁部
６  掬い部
７  傾斜面
８  段部
１１  掬い具兼容器
１２  底部
１３  側部
１４  開口部
１５  開口縁部
１６  掬い部
１６ａ  第１の直線
１６ｂ  第２の直線
１６ｃ  第３の直線
１８  手提げ用取っ手部
２１  補強金具
２２  金属部
２３  金属部
２４  金属部
２５  エッジ部
２６  ゴム片
【図１】
0003129960.tif 000003
【図２】
0003129960.tif 000004
【図３】
0003129960.tif 000005
【図４】
0003129960.tif 000006
【図５】
0003129960.tif 000007
【図６】
0003129960.tif 000008